(57)【要約】【課題】遊技機に対して能率的に磁気センサ及び発光ダイオードを取り付けることができるようにする。【解決手段】遊技機の遊技盤に設けられる磁気センサ装置であって、外殻体６０（第１分割外殻体６１ａ，第２分割外殻体６１ｂ）と、外殻体６０のうちの手前側の部分に設けられた発光ダイオード７０と、外殻体６０のうちの発光ダイオード７０の奥側に設けられた磁気センサ８０と、磁気センサ８０の奥側に設けられ、発光ダイオード７０及び磁気センサ８０と電気的に接続され、他の電気的要素と接続されるコネクタ９５とを有する。【選択図】図３
2009136364.tif 000002
【特許請求の範囲】
【請求項１】
遊技機の遊技盤に設けられる磁気センサ装置であって、
外殻体と、
その外殻体のうちの手前側の部分に設けられた発光ダイオードと、
前記外殻体のうちの前記発光ダイオードの奥側に設けられた磁気センサと、
前記磁気センサの奥側に設けられ、前記発光ダイオード及び前記磁気センサと電気的に接続され、他の電気的要素と接続されるコネクタと
を有する、遊技機用磁気センサ装置。
【発明の詳細な説明】
【技術分野】
【０００１】
本発明は、パチンコ機等の遊技機用の磁気センサ装置に関するものである。
【背景技術】
【０００２】
一般的に、パチンコ機（弾球遊技機）は遊技盤を有し、遊技盤の遊技領域には、普通入賞口，始動入賞装置，大入賞口，センター役物等が設けられている。遊技盤の手前側には、ガラス板が配設されている。
そして、遊技者の発射操作に基づいて遊技盤の遊技領域（正確には、遊技盤の遊技領域とガラス板との間の空間）に導かれたパチンコ球（遊技球）が普通入賞口に入賞した場合には、複数個のパチンコ球が、賞球として、賞球払い出し装置から払い出される。
また、同じくパチンコ球（遊技球）が始動入賞装置に入賞した場合には、センター役物が作動し、センター役物において「当たり」となった場合には、大入賞口が所定の回数開状態となる。そして、大入賞口の１回の開状態ごとに、大入賞口に対して複数のパチンコ球が入ることが許容され、大入賞口に対する１個のパチンコ球の入賞ごとに、複数個のパチンコ球が、賞球として、賞球払い出し装置から払い出される。
【０００３】
ところで、パチンコ球は、金属によって形成されており、磁石に吸い寄せられる。
このことから、ガラス板の手前側から、磁石によってパチンコ球を所望の位置に導いて、パチンコ球を入賞装置（普通入賞口，始動入賞装置等）に入賞させようとする不正行為を行う者も存在する。
【０００４】
このような不正行為を防止するための従来の技術の一例として、特許文献１に開示されているものがある。
その不正防止装置は、入賞装置に設けられた回路基板（遊技機の作動を制御する制御装置との間で信号を入出力する）に設けられた磁気検出素子と、その磁気検出素子において磁力が検出されたときに警報信号を出力する警報信号出力手段とを有している。
【０００５】
そして、上記の従来の不正防止装置では、磁気検出素子及び警報信号出力手段（自機警報手段等）が各々別個に遊技機に対して取り付けられるものと考えられる。
【０００６】
ところで、磁気を検出する磁気検出素子と、その検出結果に基づいて警報を発する手段とは、表裏一体の関係にある。
そして、両要素を制御装置に対して各々別個に接続するとともに、各々別個に遊技機に対して取り付けるのは煩雑である。
【特許文献１】特開２００７−１８５２８５公報
【発明の開示】
【発明が解決しようとする課題】
【０００７】
本発明は、遊技機に対して磁気センサ及び発光ダイオードを能率的に取り付けることができる装置を提供することを目的とする。
【課題を解決するための手段】
【０００８】
上記の目的を達成するために、請求項１に係る発明は、遊技機の遊技盤に設けられる磁気センサ装置であって、外殻体と、その外殻体のうちの手前側の部分に設けられた発光ダイオードと、前記外殻体のうちの前記発光ダイオードの奥側に設けられた磁気センサと、前記磁気センサの奥側に設けられ、前記発光ダイオード及び前記磁気センサと電気的に接続され、他の電気的要素と接続されるコネクタとを有する、遊技機用磁気センサ装置である。
【０００９】
「その外殻体のうちの手前側の部分」とは、外殻体（遊技機用磁気センサ装置）が遊技盤に対して取り付けられた状態における外殻体のうちの手前側の部分のことである。
「前記外殻体のうちの前記発光ダイオードの奥側」及び「前記磁気センサの奥側」についても同様である。
【００１０】
この発明の遊技機用磁気センサ装置では、外殻体に対して、磁気センサ及び発光ダイオード（警報装置として機能し得る）が予め組み込まれている。
このため、この発明の遊技機用磁気センサ装置を遊技機の遊技盤に対して取り付けることによって、両要素を同時に遊技機に対して取り付けることが可能となる。
また、コネクタが発光ダイオード及び磁気センサと電気的に接続されているために、そのコネクタと制御装置（正確には、制御装置の側の接続端子）とを接続することによって、両者を同時に制御装置に対して電気的に接続する、ということも可能となり得る。
このように、この発明の遊技機用磁気センサ装置では、遊技機に対する磁気センサ及び発光ダイオードの取り付け作業が能率的なものとなる。
【発明の効果】
【００１１】
以上のように、本発明の遊技機用の磁気センサ装置では、遊技機に対して磁気センサ及び発光ダイオードを能率的に取り付けることが可能となる。
【発明を実施するための最良の形態】
【００１２】
まず、本発明の実施形態の磁気センサ装置が取り付けられるパチンコ機（弾球遊技機）について、図１に基づいて説明する。
このパチンコ機（弾球遊技機）はほぼ鉛直な遊技盤１０を有し、その下方には、ハンドル１２や賞球払い出し装置（図示省略）が設けられている。
ハンドル１２は、パチンコ球（遊技球）の発射操作をするものであり、賞球払い出し装置は、各入賞口（後述）にパチンコ球が入賞した場合にパチンコ球を賞球として払い出すものである。
遊技盤１０の手前側には、ガラス板１１が配設されている。
【００１３】
遊技盤１０には、外側レール１３及び内側レール１４が設けられており、内側レール１４の内側が遊技領域（符号省略）とされ、外側レール１３と内側レール１４の間の部分が、発射された直後のパチンコ球が通る通路（符号省略）とされている。
そして、遊技者がハンドル１２を操作することによって発射されたパチンコ球は、通路を通り、遊技領域（遊技領域とガラス板１１との間の空間）へと導かれる。
【００１４】
遊技盤１０（遊技領域）には、多数の釘（図示省略）や風車（符号省略）が設けられているとともに、複数の普通入賞口２０が設けられている。普通入賞口２０にパチンコ球が入った場合には、例えば６又は１３個のパチンコ球が賞球として賞球払い出し装置から払い出される。
【００１５】
遊技盤１０のほぼ中央にはセンター役物３０が設けられている。センター役物３０の下方には始動入賞装置２１が設けられ、その下方には大入賞口２２が設けられている。
センター役物３０には、表示部３２が設けられている。表示部３２は液晶等によって構成され、種々の図柄が表示される。
【００１６】
始動入賞装置２１にパチンコ球が入る（入賞する）と、センター役物３０の表示部３２における図柄が所定の時間変動表示され、その後、最終的な図柄が静止表示される。静止表示された図柄には「当たり」と「はずれ」がある。
「当たり」の場合（例えば「７７７」）には、大入賞口２２が所定の回数開くようにされている。例えば、１６回開き、１回当たり１０個のパチンコ球が入るまで開いたままとなる。そして、大入賞口２２に対する１個のパチンコ球の入賞に対して、１５個のパチンコ球が賞球として賞球払い出し装置から払い出される。
なお、センター役物３０には、パチンコ球入口部３１が設けられている。パチンコ球入口部３１を通ってセンター役物３０の内部に流入したパチンコ球は、センター役物３０のステージ部（符号省略）に到り、種々の転動をした後に、センター役物３０から流出する。
【００１７】
このパチンコ機の遊技盤に対して、複数の磁気センサ装置５０（１５０）が取り付けられている。
磁気センサ装置５０（１５０）は、普通入賞口２０，始動入賞口２１，大入賞口２２，センター役物３０のパチンコ球入口部３１の近傍（上方）に設けられている。
【００１８】
［実施形態１］
次に、本発明の実施形態１について、図２〜図４に基づいて説明する。
この磁気センサ装置５０は、外殻体６０，発光ダイオード（ＬＥＤ）７０，磁気センサ８０，基板９０を有している。基板９０には、コネクタ９５が設けられている。
【００１９】
外殻体６０（図２，図４）は、第１分割外殻体６１ａ及び第２分割外殻体６１ｂ（図３）からなり、両者が結合されることによって外殻体６０（図２，図４）が形成されている。
外殻体６０（図２，図４）は、全体として、ほぼ厚肉円筒状をしており、その内部には収容部６２（図３，図４）が形成されている。
第１分割外殻体６１ａ及び第２分割外殻体６１ｂ（図３）は、外殻体６０（図２，図４）が、その中心軸線を含む平面で二分された形状を有している。
図３に示すように、第１分割外殻体６１ａには一対の凹部６３が形成されており、それに対応して、第２分割外殻体６１ｂには、一対の凸部６４が形成されている。そして、各凸部６４が各凹部６３に嵌合されて、両者が結合されている。
図２等に示すように、外殻体６０の基端部には、一対のつば部６６が設けられており、各つば部にビス孔６５が形成されている。
【００２０】
図３に示すように、発光ダイオード７０は、先端部が丸くされた円柱状をしており、その基端部にはつば部７２が形成されている。
発光ダイオード７０（そのつば部７２を除く）の外径は、外殻体６０の収容部６２の内径に対応している。
第１分割外殻体６１ａ，第２分割外殻体６１ｂには、発光ダイオード７０のつば部７２に対応して、溝部６７が各々形成されている。そして、つば部７２が各溝部６７に嵌合されて、図４に示すように、発光ダイオード７０は、外殻体６０（収容部６２）に組み込まれている。
すなわち、図３（ｂ）に示すように、発光ダイオード７０のつば部７２が第１分割外殻体６１ａ（又は第２分割外殻体６１ｂ）の溝部６７に嵌合された状態で、第１分割外殻体６１ａ及び第２分割外殻体６１ｂが結合されることによって、発光ダイオード７０が、外殻体６０に対して組み込まれる（このことは、他の要素についても同様である）。
【００２１】
図２〜図４に示すように、発光ダイオード７０は、外殻体６０の内部のうちの先端部（手前側の部分）に対して組み込まれている。発光ダイオード７０の先端部と外殻体６０の先端部とは、ほぼ面一状態である。
発光ダイオード７０は、基板９０を介して、コネクタ９５に対して電気的に接続されている（その電線は図示省略）。
発光ダイオード７０は、単色発光タイプのものでも、多色発光タイプのものでもよい。
【００２２】
図３に示すように、磁気センサ８０は、ほぼ直方体状をしている。
第１分割外殻体６１ａ，第２分割外殻体６１ｂには、磁気センサ８０に対応した溝部６８が各々形成されている。そして、磁気センサ８０は、各溝部６８に嵌合されて、図４に示すように、外殻体６０（収容部６２）に組み込まれている。
磁気センサ８０は、外殻体６０の長さ方向におけるほぼ中間位置（発光ダイオード７０の奥側）に組み込まれている。
磁気センサ８０は、基板９０を介して、コネクタ９５に対して電気的に接続されている（その電線は図示省略）。
【００２３】
図３に示すように、基板９０は、ほぼ円板状をしている。前述したように、基板９０にはコネクタ９５が設けられている。
第１分割外殻体６１ａ，第２分割外殻体６１ｂには、基板９０に対応した溝部６９が各々形成されている。そして、基板９０が各溝部６９に嵌合されて、図４に示すように、基板９０及びコネクタ９５が、外殻体６０に組み付けられている。
コネクタ９５の略後半部は、外殻体６０（その後端部）から露出している。
【００２４】
次に、この磁気センサ装置５０の使用方法及び作用効果について説明する。
この磁気センサ装置５０は、次のように、遊技盤１０（図１）に対して取り付けられる。
図４に示すように、この磁気センサ装置５０は、遊技盤１０に対して設けられた貫通孔４５に対して、その裏側（奥側）から挿通される。そして、ビス孔６５（図２）を通して、ビス４０（図４において図示省略）が遊技盤１０に対して固定されることによって、この磁気センサ装置５０が遊技盤１０に対して取り付けられる。
【００２５】
図４に示すように、遊技盤１０のおもて面には、化粧シート１５が貼着されている。
化粧シート１５は、透明なシート本体１６に対して印刷層１７及び紙層１８が設けられて形成されている（なお、印刷層１７に対して紙層１８が貼着された際の接着剤層については図示を省略する）。
そして、遊技盤１０の貫通孔４５に対応して、印刷層１７には孔４１が形成され（すなわち、その部分には印刷層１７は設けられていない）、紙層１８にも孔４２が形成されている。
こうして、発光ダイオード７０から発せられる光は、透明なシート本体１６を通して、手前側（遊技者の側）に発せられる。
【００２６】
また、この磁気センサ装置５０は、コネクタ９５において、制御装置（図示省略）に接続される。正確には、制御装置の側の接続端子と接続される。
そして、磁気センサ８０が磁気を検知した場合には、制御装置による制御のもと、発光ダイオード７０が発光する。
発光ダイオード７０の発光としては、連続的な発光でも、点滅発光でもよい。また、多色発光タイプのものの場合は、磁気センサ８０が感知した磁気の大きさに応じて、発光する色が変化するようにされてもよい。
いずれにしても、磁気センサ８０が磁気を検知した際には、発光ダイオード７０が発光するため、磁石を用いて不正行為を行おうとする者がいた場合には、その者に対する警告がされることとなる。
こうして、不正行為が行われることが防止される。
【００２７】
そして、この磁気センサ装置５０は、磁気センサ８０及び発光ダイオード７０が外殻体６０の内部に組み込まれて形成されているため、磁気センサ８０や発光ダイオード７０を各々別個に遊技盤１０に対して取り付ける必要が回避され、取付作業の効率化が図られる。
【００２８】
［実施形態２］
次に、本発明の実施形態２について、図５に基づいて説明する。実施形態２は、実施形態１の変形例であるため、実施形態１との相違点を中心に説明する。実施形態１と同一の要素については、同一の符号を付して、説明を適宜省略する。
【００２９】
この磁気センサ装置１５０は、外殻体１６０において、実施形態１の磁気センサ装置５０と相違する。
外殻体１６０は、先端部が塞がれた厚肉円筒状をしている。外殻体１６０は、透明な素材（合成樹脂）によって形成されている。
【００３０】
この磁気センサ装置１５０は、次のように、遊技盤１０に対して取り付けられる。
前述と同様に、遊技盤１０のおもて面には化粧シート１５が貼着されており、化粧シート１５は、透明なシート本体１６に対して印刷層１７及び紙層１８が設けられて形成されている。
この実施形態２の場合は、遊技盤１０の貫通孔４５に対応して、化粧シート１５の全層にわたって、孔４３が形成されている。
そして、実施形態１の場合と同様に、この磁気センサ装置１５０は、貫通孔４５，貫通孔４３に対して、遊技盤１０の裏側（奥側）から挿通され、ビス孔６５（図２）を通してビス４０が遊技盤１０に対して固定されることによって、遊技盤１０に対して取り付けられる。
その際、この実施形態２の場合は、磁気センサ装置１５０（外殻体１６０）の手前側の面と化粧シート１５のおもて面とは、ほぼ面一状とされている。
【００３１】
こうして、この磁気センサ装置１５０も、実施形態１の磁気センサ装置５０と同様に使用され、実施形態１の磁気センサ装置５０と同様の作用効果が得られる。
【００３２】
なお、上記のものはあくまで本発明の実施形態にすぎず、当業者の知識に基づいて種々の変更を加えた態様で本発明を実施できることはもちろんである。
【図面の簡単な説明】
【００３３】
【図１】本発明の実施形態の磁気センサ装置が取り付けられる弾球遊技機を示す正面図である。
【図２】本発明の実施形態１の磁気センサ装置を示す斜視図である。（ａ）は斜め前方から見たものであり、（ｂ）は斜め後方から見たものである。
【図３】本発明の実施形態１の磁気センサ装置を示す図である。（ａ）は、分解斜視図である。（ｂ）は、組み付けの途中の状態を示す図である。
【図４】本発明の実施形態１の磁気センサ装置の使用状態を示す縦断面図である。
【図５】本発明の実施形態２の磁気センサ装置の使用状態を示す縦断面図である。
【符号の説明】
【００３４】
５０，１５０  磁気センサ装置
６０，１６０  外殻体
７０  発光ダイオード
８０  磁気センサ
９５  コネクタ
【図１】
2009136364.tif 000003
【図２】
2009136364.tif 000004
【図３】
2009136364.tif 000005
【図４】
2009136364.tif 000006
【図５】
2009136364.tif 000007